(57)【特許請求の範囲】
【請求項１】
第１の入力端子と、第２の入力端子と、第１の入力端子から入力された電流を出力するため第１の出力端子と、第２の入力端子から入力された電流を出力するため第２の出力端子とを有し、コモンモード電流が上記第１及び第２の入力端子に入力された場合に、低インピーダンス状態になって、当該コモンモード電流を上記第１及び第２の出力端子側に通過させ、ディファレンシャルモード電流が上記第１及び第２の入力端子に入力された場合に、高インピーダンス状態になって、当該ディファレンシャルモード電流を遮断するフィルタ回路を備えたノイズ対策回路であって、
第１の上記フィルタ回路の上記第１及び第２の入力端子を、差動伝送路を構成する１対の伝送線路にそれぞれ接続し、
第２の上記フィルタ回路の上記第１の入力端子を、上記第１のフィルタ回路の上記第１及び第２の出力端子の双方に接続すると共に、上記第２の入力端子を、グランド線路に接続し、
当該第２のフィルタ回路の上記第１及び第２の出力端子の双方を、所定のグランド領域に接続した、
ことを特徴とするノイズ対策回路。
【請求項２】
請求項１に記載のノイズ対策回路において、
上記フィルタ回路は、互いに逆方向に巻回された第１及び第２のコイルを有し、第１のコイルの入力側端部と出力側端部とがそれぞれ上記第１の入力端子と第１の出力端子とに接続されると共に、当該第１のコイルの上記入力側端部と出力側端部とにそれぞれ対応した第２のコイルの入力側端部と出力側端部とが、上記第２の入力端子と第２の出力端子とにそれぞれ接続され、ディファレンシャルモード電流の通電時に高インピーダンスになり、コモンモード電流の通電時に低インピーダンスになるチョークコイルである、
ことを特徴とするノイズ対策回路。
【請求項３】
請求項１に記載のノイズ対策回路において、
上記フィルタ回路は、同方向に巻回された第１及び第２のコイルを有したコモンモードチョークコイルを備え、当該コモンモードチョークコイルの第１のコイルの入力側端部と出力側端部とがそれぞれ上記第１の入力端子と第１の出力端子とに接続され、当該第１のコイルの上記入力側端部と出力側端部とにそれぞれ対応した第２のコイルの入力側端部と出力側端部とが、上記第２の出力端子と第２の入力端子とにそれぞれ接続されている、
ことを特徴とするノイズ対策回路。
【請求項４】
請求項２に記載のノイズ対策回路において、
上記第１のフィルタ回路又は第２のフィルタ回路における上記第１のコイルの出力側端部と第１の出力端子との間に、第１のコンデンサを介在させると共に、第２のコイルの出力側端部と第２の出力端子との間に、第２のコンデンサを介在させた、
ことを特徴とするノイズ対策回路。
【請求項５】
請求項３に記載のノイズ対策回路において、
上記第１のフィルタ回路又は第２のフィルタ回路における上記第１のコイルの出力側端部と第１の出力端子との間に、第１のコンデンサを介在させると共に、第２のコイルの入力側端部と第２の出力端子との間に、第２のコンデンサを介在させた、
ことを特徴とするノイズ対策回路。
【発明の詳細な説明】
【技術分野】
【０００１】
この発明は、差動信号に影響を与えることなく、差動伝送路上のコモンモードノイズをグランドに逃がすノイズ対策回路に関するものである。
【背景技術】
【０００２】
差動信号に影響を与えることなく、差動伝送路上のコモンモードノイズをグランドに逃がすノイズ対策回路としては、例えば、特許文献１に開示の回路がある。
このノイズ対策回路は、２つのコイルの巻き方向が同じであるコモンモードチョークコイルを、送，受信装置間に接続された差動伝送路の途中に挿入すると共に、２つのコイルの巻き方向が逆であるチョークコイルを差動伝送路とグランドとの途中に挿入した構成になっている。
かかる構成により、コモンモードチョークコイルが、差動伝送路を流れる差動信号（ディファレンシャルモード信号）に対して低インピーダンスとなり、コモンモードノイズに対して高インピーダンスとなる。一方、差動伝送路とグランドとの途中に挿入されたチョークコイルは、逆に、差動伝送路を流れる差動信号に対して高インピーダンスとなり、コモンモードノイズに対して低インピーダンスとなる。これにより、送，受信装置の動作に必要な差動信号のみを差動伝送路に通して、コモンモードノイズを、グランドに落とすようにしている。
なお、差動伝送路とグランドの間に挿入されるチョークコイルとしては、通常、２つのコイルの巻き方向を逆にした構造のものが用いられるが、特許文献２に開示の技術のように、通常のコモンモードチョークコイルを用い、このコモンモードチョークコイルの一方のコイルの入，出力端を逆にした技術も存在する。
【先行技術文献】
【特許文献】
【０００３】
【特許文献１】特開平０８−１１５８２０号公報
【特許文献２】特開２００８−２１９０９８号公報
【発明の概要】
【発明が解決しようとする課題】
【０００４】
しかし、上記した従来のノイズ対策回路では、次のような問題がある。
従来のノイズ対策回路では、差動信号のみを差動伝送路で伝送する場合には、問題がないが、送，受信装置の動作に必要なコモンモード信号を、差動信号と同時に差動伝送路で伝送する場合には問題がある。
すなわち、上記した従来の技術では、コモンモード信号を、差動信号と同時に差動伝送路で伝送する場合に、コモンモードノイズだけでなく、必要なコモンモード信号もグランドに落としてしまい、受信される信号に波形の乱れを発生させるおそれがある。
【０００５】
この発明は、上述した課題を解決するためになされたもので、送，受信装置の動作に必要な差動信号とコモン信号とを伝送して、コモンモードノイズのみを低減させることができるノイズ対策回路を提供することを目的とする。
【課題を解決するための手段】
【０００６】
上記課題を解決するために、請求項１の発明は、第１の入力端子と、第２の入力端子と、第１の入力端子から入力された電流を出力するため第１の出力端子と、第２の入力端子から入力された電流を出力するため第２の出力端子とを有し、コモンモード電流が第１及び第２の入力端子に入力された場合に、低インピーダンス状態になって、コモンモード電流を第１及び第２の出力端子側に通過させ、ディファレンシャルモード電流が第１及び第２の入力端子に入力された場合に、高インピーダンス状態になって、ディファレンシャルモード電流を遮断するフィルタ回路を備えたノイズ対策回路であって、第１のフィルタ回路の第１及び第２の入力端子を、差動伝送路を構成する１対の伝送線路にそれぞれ接続し、第２のフィルタ回路の第１の入力端子を、第１のフィルタ回路の第１及び第２の出力端子の双方に接続すると共に、第２の入力端子を、グランド線路に接続し、第２のフィルタ回路の第１及び第２の出力端子の双方を、所定のグランド領域に接続した構成とする。
かかる構成により、差動伝送路とグランド線路とを送信装置と受信装置との間に接続し、第２のフィルタ回路の第１及び第２の出力端子の双方を送信装置又は受信装置の筐体等のグランド領域に接続すると、送，受信装置の動作に必要な差動信号を、差動伝送路の１対の伝送線路を通じて送信装置側から受信装置側に伝送することができる。
そして、差動信号が、第１及び第２の入力端子を通じて、差動伝送路から第１のフィルタ回路に入力した場合には、逆方向のディファレンシャルモード電流が第１のフィルタ回路に流れるため、第１のフィルタ回路が高インピーダンス状態になって、ディファレンシャルモード電流を遮断する。したがって、差動信号伝送時において、差動信号が差動伝送路からグランド側に流出することはない。
また、送，受信装置の動作に必要なコモンモード信号を、差動伝送路上に伝送すると、１対の同方向のコモンモード電流が、１対の伝送線路を流れると共に、逆方向の電流がグランド線路上を流れ、コモンモード信号を、送，受信装置間で送受信することができる。
かかる状態において、コモンモード信号が、第１及び第２の入力端子を通じて、差動伝送路から第１のフィルタ回路に入力した場合には、同方向のコモンモード電流が第１のフィルタ回路に流れるため、第１のフィルタ回路が低インピーダンス状態になって、コモンモード電流を通過させる。
これにより、コモンモード電流が、第１のフィルタ回路の第１及び第２の出力端子から第２のフィルタ回路の第１の入力端子に入力し、この第１の入力端子から第１の出力端子側に向かって流れる。一方、逆方向の電流がグランド線路上を流れていることから、この電流は、第２のフィルタ回路の第２の出力端子側から第２の入力端子側に流れる。
この結果、逆方向のディファレンシャルモード電流が第２のフィルタ回路に流れることとなり、第２のフィルタ回路が高インピーダンス状態になって、これらの電流を遮断する。
したがって、コモンモード信号伝送時において、コモンモード信号が差動伝送路からグランド側に流出することはない。
そして、コモンモードノイズが発生し、差動伝送路とグランド線路を同方向に流れると、１対の伝送線路を流れるコモンモードノイズが第１及び第２の入力端子から第１のフィルタ回路に流れ込み、グランド線路を流れるノイズ電流が第２の入力端子から第２のフィルタ回路に流れ込む。
コモンモードノイズが第１及び第２の入力端子から第１のフィルタ回路に流れ込むと、同方向のコモンモード電流が第１のフィルタ回路に流れる状態になり、第１のフィルタ回路が低インピーダンス状態になって、これらのコモンモードノイズを通過させる。
これにより、コモンモードノイズが、第１のフィルタ回路の第１及び第２の出力端子から第２のフィルタ回路の第１の入力端子に入力し、この第１の入力端子から第１の出力端子側に向かって流れる。一方、第２の入力端子から第２のフィルタ回路に流れ込んだノイズ電流は、第１の入力端子から流れ込んだノイズ電流と同方向であるため、同方向のコモンモード電流が、第１及び第２の入力端子から第１及び第２の出力端子側に向かって第２のフィルタ回路内を流れることとなり、第２のフィルタ回路が低インピーダンス状態になって、これらの電流を通過させることとなる。
この結果、コモンモードノイズは、第２のフィルタ回路の第１及び第２の出力端子から筐体等のグランド領域に排出される。
したがって、差動伝送路とグランド線路とに進入した、コモンモードノイズは、このノイズ対策回路を通じてグランド領域に排出されることとなる。
【０００７】
請求項２の発明は、請求項１に記載のノイズ対策回路において、フィルタ回路は、互いに逆方向に巻回された第１及び第２のコイルを有し、第１のコイルの入力側端部と出力側端部とがそれぞれ第１の入力端子と第１の出力端子とに接続されると共に、当該第１のコイルの入力側端部と出力側端部とにそれぞれ対応した第２のコイルの入力側端部と出力側端部とが、第２の入力端子と第２の出力端子とにそれぞれ接続され、ディファレンシャルモード電流の通電時に高インピーダンスになり、コモンモード電流の通電時に低インピーダンスになるチョークコイルである構成とした。
【０００８】
請求項３の発明は、請求項１に記載のノイズ対策回路において、フィルタ回路は、同方向に巻回された第１及び第２のコイルを有したコモンモードチョークコイルを備え、当該コモンモードチョークコイルの第１のコイルの入力側端部と出力側端部とがそれぞれ第１の入力端子と第１の出力端子とに接続され、当該第１のコイルの入力側端部と出力側端部とにそれぞれ対応した第２のコイルの入力側端部と出力側端部とが、第２の出力端子と第２の入力端子とにそれぞれ接続されている構成とした。
【０００９】
請求項４の発明は、請求項２に記載のノイズ対策回路において、第１のフィルタ回路又は第２のフィルタ回路における第１のコイルの出力側端部と第１の出力端子との間に、第１のコンデンサを介在させると共に、第２のコイルの出力側端部と第２の出力端子との間に、第２のコンデンサを介在させた構成とする。
かかる構成により、直流電流が、差動伝送路から第１のフィルタ回路又は第２のフィルタ回路内に流入すると、直流電流は、第１のフィルタ回路又は第２のフィルタ回路の第１及び第２のコイルの出力側端部から第１及び第２の出力端子側に出力される。このとき、第１及び第２のコンデンサが、第１及び第２のコイルの出力側端部と第１及び第２の出力端子との間にそれぞれ介在しているので、直流電流は、これら第１及び第２のコンデンサによって遮断され、グランド領域側に流出することはない。
請求項５の発明は、請求項３に記載のノイズ対策回路において、第１のフィルタ回路又は第２のフィルタ回路における第１のコイルの出力側端部と第１の出力端子との間に、第１のコンデンサを介在させると共に、第２のコイルの入力側端部と第２の出力端子との間に、第２のコンデンサを介在させた構成とする。
【発明の効果】
【００１０】
以上詳しく説明したように、この発明のノイズ対策回路によれば、差動信号とコモンモード信号とを差動伝送路上に伝送し、コモンモードノイズのみをグランド領域に落とすことができるので、送受信信号の波形乱れを生じさせずに、ノイズ対策が図れるという優れた効果がある。
特に請求項３の発明によれば、既成のコモンモードチョークコイルを用いてフィルタ回路を構成するので、請求項２の発明に適用されるフィルタ回路を製造する場合に比べて、フィルタ回路の製造が容易になるという効果がある。
【図面の簡単な説明】
【００１１】
【図１】この発明の第１実施例に係るノイズ対策回路を示す回路図である。
【図２】ディファレンシャルモード信号伝送時の作用及び効果を説明するための回路図である。
【図３】コモンモード信号伝送時の作用及び効果を説明するための回路図である。
【図４】コモンモードノイズ発生時の作用及び効果を説明するための回路図である。
【図５】ディファレンシャルモード時の透過率を測定するための回路図である。
【図６】コモンモード時の透過率を測定するための回路図である。
【図７】実測の結果を示す線図である。
【図８】この発明の第２実施例に係るノイズ対策回路を示す回路図である。
【発明を実施するための形態】
【００１２】
以下、この発明の最良の形態について図面を参照して説明する。
【００１３】
（実施例１）
図１は、この発明の第１実施例に係るノイズ対策回路を示す回路図である。
図１に示すように、この実施例のノイズ対策回路１−１は、第１のフィルタ回路としてのフィルタ回路２と、第２のフィルタ回路としてのフィルタ回路３とを、差動伝送路１００とグランド線路１１０と所定のグランド領域１２０との間に設けた構成になっている。
【００１４】
フィルタ回路２は、第１の入力端子としての入力端子２１と第２の入力端子としての入力端子２２とを前段に有し、第１の出力端子としての出力端子２３と第２の出力端子としての出力端子２４とを後段に有している
具体的には、第１のコイルとしてのコイル２５と第２のコイルとしてのコイル２６とが、隣り合い、通電時に磁気的に結合するようになっている。
これらコイル２５とコイル２６は、互いに逆方向に巻回されており、それぞれの両端が、入力端子２１，２２と出力端子２３，２４とに接続されている。
つまり、コイル２５の入力側端部２５ａが入力端子２１に接続され、出力側端部２５ｂが出力端子２３に接続されている。また、コイル２６では、入力側端部２５ａに対応した入力側端部２６ｂが入力端子２２に接続され、出力側端部２５ｂに対応した出力側端部２６ａが出力端子２４に接続されている。
ここで、互いに逆方向に巻回されたコイル２５，２６において、コイル２６の端部２６ａ，２６ｂのいずれの端部が、コイル２５の入力側端部２５ａに対応した入力側端部であるかについて定義する。コイル２５，２６が互いに逆方向に巻回されたコイル同士であるので、電流を入力したならば、その電流の回転方向が、入力側端部２５ａに入力された電流の回転方向と逆の方向になるであろう端部が、コイル２６の入力側端部である。したがって、コイル２６の端部２６ｂが、コイル２５の入力側端部２５ａに対応した入力側端部である。この結果、コイル２６の端部２６ａが、コイル２５の出力側端部２５ｂに対応した出力側端部となる。
これにより、逆方向の電流、即ちディファレンシャルモード電流が、コイル２５，２６に流れると、互いの磁界が強め合い、高インピーダンスになる。そして、同方向の電流、即ちコモンモード電流が、コイル２５，２６に流れると、互いの磁界が弱め合い、低インピーダンスになる。
したがって、このフィルタ回路２では、ディファレンシャルモード電流が入力端子２１，２２から入力すると、遮断され、コモンモード電流が入力端子２１，２２から入力すると、通過して、出力端子２３，２４から出力される。
【００１５】
一方、フィルタ回路３も、符号を異ならしめているが、フィルタ回路２と同構造であり、第１，第２の入力端子としての入力端子３１，３２と、第１，第２の出力端子としての出力端子３３，３４とを有している。そして、逆方向に巻回されたコイル３５とコイル３６とが、入力端子３１，３２と出力端子３３，３４とに接続されている。つまり、コイル３５の入力側端部３５ａが入力端子３１に接続され、出力側端部３５ｂが出力端子３３に接続されている。そして、コイル３５の入力側端部３５ａに対応したコイル３６の入力側端部３６ｂが入力端子３２に接続され、出力側端部３５ｂに対応した出力側端部３６ａが出力端子３４に接続されている。
これにより、このフィルタ回路３においても、ディファレンシャルモード電流が入力端子３１，３２から入力すると、遮断され、コモンモード電流が入力端子３１，３２から入力すると、通過して、出力端子３３，３４から出力される。
【００１６】
上記の如きフィルタ回路２は、差動伝送路１００に接続されている。
具体的には、入力端子２１，２２が、差動伝送路１００を構成する１対の伝送線路１０１，１０２にそれぞれ接続されている。
また、フィルタ回路３は、フィルタ回路２とグランド線路１１０とに接続されている。
具体的には、入力端子３１が、フィルタ回路２の出力端子２３，２４の双方に接続され、入力端子３２が、グランド線路１１０に接続されている。
そして、出力端子３３，３４が、グランド領域１２０に接続されている。グランド領域１２０としては、シャーシー等、安定な基準電位とすることができる導体領域を選択する。
【００１７】
次に、この実施例のノイズ対策回路１−１が示す作用及び効果について説明する。
図２は、ディファレンシャルモード信号伝送時の作用及び効果を説明するための回路図であり、図３は、コモンモード信号伝送時の作用及び効果を説明するための回路図であり、図４は、コモンモードノイズ発生時の作用及び効果を説明するための回路図である。
【００１８】
図２に示すように、送信装置２０１と受信装置２０２とを、差動伝送路１００とグランド線路１１０とによって電気的に接続した状態で、差動信号Ｓ，−Ｓを送信装置２０１から受信装置２０２に送信すると、差動信号Ｓ，−Ｓは、差動伝送路１００の伝送線路１０１，１０２を通じて受信装置２０２に伝送される。
このとき、差動信号Ｓ，−Ｓが、ノイズ対策回路１−１側に入り込むと、ノイズ対策回路１−１を通過してグランド領域１２０に流出するおそれがある。
しかし、この実施例では、ノイズ対策回路１−１がフィルタ回路２を有しているので、差動信号Ｓ，−Ｓが、入力端子２１，２２を通じてフィルタ回路２に入力すると、破線の矢印で示すように、差動信号Ｓ，−Ｓに基づく逆方向のディファレンシャルモード電流Ｉｓ，−Ｉｓがコイル２５，２６を流れようとする。このため、フィルタ回路２が、高インピーダンス状態になって、差動信号Ｓ，−Ｓがフィルタ回路２で遮断される。したがって、差動信号Ｓ，−Ｓが差動伝送路１００からグランド領域１２０側に流出することはない。
【００１９】
また、図３に示すように、コモンモード信号Ｃ，Ｃを、送信装置２０１から受信装置２０２に送信すると、コモンモード信号Ｃ，Ｃが、差動伝送路１００の伝送線路１０１，１０２を流れると共に、逆方向の信号−Ｃがグランド線路１１０を流れる。
このとき、コモンモード信号Ｃ，Ｃが、ノイズ対策回路１−１側に入り込むと、コモンモード信号Ｃ，Ｃが、入力端子２１，２２を通じてフィルタ回路２に入力し、実線の矢印で示すように、コモンモード信号Ｃ，Ｃに基づく同方向のコモンモード電流Ｉｃ，Ｉｃがコイル２５，２６を流れようとする。このため、フィルタ回路２が、低インピーダンス状態になって、フィルタ回路２の出力端子２３，２４に出力される。したがって、コモンモード信号Ｃ，Ｃがグランド領域１２０側に流出するおそれがある。
しかし、この実施例では、ノイズ対策回路１−１が、フィルタ回路２の後段にフィルタ回路３を有しているので、フィルタ回路２から出力された信号Ｃとグランド線路１１０からの逆方向の信号−Ｃとが、入力端子３１，３２を通じてフィルタ回路３に入力する。すると、破線の矢印で示すように、これらの信号に基づいた逆方向のディファレンシャルモード電流Ｉｃ，−Ｉｃがフィルタ回路３のコイル３５，３６を流れようとするため、フィルタ回路３が、高インピーダンス状態になって、電流Ｉｃ，−Ｉｃがフィルタ回路３で遮断される。このため、コモンモード信号Ｃ，Ｃが差動伝送路１００からグランド領域１２０側に流出することはない。
【００２０】
そして、図４に示すように、コモンモードノイズＮ，Ｎ，Ｎが、差動伝送路１００及びグランド線路１１０に発生した場合には、差動伝送路１００上のコモンモードノイズＮ，Ｎが、ノイズ対策回路１−１のフィルタ回路２に入り込み、同方向のノイズ電流Ｉｎ，Ｉｎがコイル２５，２６を流れる。これにより、フィルタ回路２は、低インピーダンス状態になって、ノイズ電流Ｉｎ，Ｉｎがフィルタ回路２の出力端子２３，２４に出力される。
すると、フィルタ回路２から出力されたノイズ電流Ｉｎとグランド線路１１０からのノイズＮに基づくノイズ電流Ｉｎとが、フィルタ回路３の入力端子３１，３２に入力される。
これにより、実線の矢印で示すように、同方向のコモンモード電流Ｉｎ，Ｉｎがフィルタ回路３のコイル２５，２６を流れようとするため、フィルタ回路３が、低インピーダンス状態になって、電流Ｉｎ，Ｉｎがフィルタ回路３からグランド領域１２０に出力される。
すなわち、差動伝送路１００やグランド線路１１０に発生したコモンモードノイズＮ，Ｎ，Ｎは、全てグランド領域１２０側に排出されることとなる。
【００２１】
以上のように、この実施例のノイズ対策回路１−１によれば、差動信号Ｓ，−Ｓとコモンモード信号Ｃ，Ｃとを差動伝送路１００上に伝送し、コモンモードノイズＮ，Ｎのみをグランド領域１２０に落とすことができる。
【００２２】
発明者は、かかる効果を確認すべく次のような実測を行った。
図５は、ディファレンシャルモード時の透過率を測定するための回路図であり、図６は、コモンモード時の透過率を測定するための回路図であり、図７は、実測の結果を示す線図である。
まず、ディファレンシャルモード時の透過率を測定した。
この実測では、図５に示すように、グランド領域１２０を基準電位とするため、グランド線路１１０の両端を５０Ωの抵抗器１１１で終端した。
そして、コモンモードチョークコイル４（５）を備えたフィルタ回路２（３）によって、ノイズ対策回路を構成した。
これは、既製品のコモンモードチョークコイル４（５）を用いて、フィルタ回路２（３）を製作した方が、図１に示したようにコイル２５，２６を逆方向に巻回して製作されるフィルタ回路２（３）よりも、製造が容易であるからである。この実測では、コモンモードチョークコイル４（５）として、村田製作所製のコモンモードチョークコイル（製品番号＝DLP11SN900HL2）を用いた。
【００２３】
ここで、この実測で用いられるフィルタ回路２（３）について、具体的に説明しておく。
フィルタ回路２（３）は、同方向に巻回されたコイル４１，４２（５１，５２）を有したコモンモードチョークコイル４（５）を備えている。
コモンモードチョークコイル４（５）のコイル４１（５１）では、その入力側端部４１ａ（５１ａ）と出力側端部４１ｂ（５１ｂ）とが、入力端子２１（３１）と出力端子２３（３３）とにそれぞれ接続されている。
一方、コイル４２（５２）では、コイル４１（５１）の入力側端部４１ａ（５１ａ）に対応した入力側端部４２ａ（５２ａ）が、出力端子２４（３４）に接続され、コイル４１（５１）の出力側端部４１ｂ（５１ｂ）に対応した出力側端部４２ｂ（５２ｂ）が、入力端子２２（３２）に接続されている。
これにより、この実施例のノイズ対策回路１−１と同様の機能を発揮する。
ここで、互いに同方向に巻回されたコイル４１，４２において、コイル４２の端部４２ａ，４２ｂのいずれの端部が、コイル４１の入力側端部４１ａに対応した入力側端部であるかについて定義する。コイル４１，４２が互いに同方向に巻回されたコイル同士であるので、電流を入力したならば、その電流の回転方向が、入力側端部４１ａに入力された電流の回転方向と同じ方向になるであろう端部が、コイル４２の入力側端部である。したがって、コイル４２の端部４２ａが、コイル４１の入力側端部４１ａに対応した入力側端部である。この結果、コイル４２の端部４２ｂが、コイル４１の出力側端部４１ｂに対応した出力側端部となる。
【００２４】
このような回路において、図示しないネットワークアナライザのポートを、差動伝送路１００を構成する伝送線路１０１，１０２の入力側端部１０１ａ，１０２ａと出力側端部１０１ｂ，１０２ｂに接続した。
そして、１ＭＨｚ〜１ＧＨｚの範囲の差動信号Ｓ，−Ｓを、伝送線路１０１，１０２に伝送し、入力側端部１０１ａ，１０２ａに入力する差動信号Ｓ，−Ｓに対する出力側端部１０１ｂ，１０２ｂから出力する差動信号Ｓ，−Ｓの比である透過率（ｄＢ）を測定したところ、図７の実線で示すような透過特性曲線Ｓ１を得た。
【００２５】
次に、コモンモード時の透過率を測定した。
この実測では、図６に示すように、伝送線路１０１，１０２の入力側端部１０１ａ，１０２ａ同士を接続して、入力端１００ａとし、出力側端部１０１ｂ，１０２ｂ同士を接続して、出力端１００ｂとした。
かかる状態で、図示しないネットワークアナライザのポートを、差動伝送路１００の入力端１００ａとグランド線路１１０の入力端１１０ａとに接続すると共に、差動伝送路１００の出力端１００ｂとグランド線路１１０の出力端１１０ｂとに接続した。
そして、１ＭＨｚ〜１ＧＨｚの範囲のコモンモード信号Ｃを、差動伝送路１００の入力端１００ａを通じて伝送線路１０１，１０２に伝送すると共に、逆向きの信号−Ｃを入力端１１０ａを通じてグランド線路１１０に伝送した。
この状態で、入力側端部１００ａ，１１０ａ側の入力に対する出力側端部１００ｂ，１１０ｂ側の出力の比である透過率（ｄＢ）を測定したところ、図７の破線で示すような透過特性曲線Ｓ２を得た。
【００２６】
最後に、図６に示す回路において、１ＭＨｚ〜１ＧＨｚの範囲のコモンモードノイスＮを、差動伝送路１００の入力端１００ａを通じて伝送線路１０１，１０２に送ると共に、同方向のノイズＮを入力端１１０ａを通じてグランド線路１１０に送った。
この状態で、入力側端部１００ａ，１１０ａ側の入力に対する出力側端部１００ｂ，１１０ｂ側の出力の比である透過率（ｄＢ）を測定したところ、図７の一点鎖線で示すような透過特性曲線Ｓ３を得た。
【００２７】
図７の曲線Ｓ１，Ｓ２から明らかなように、差動信号、コモンモード信号の減衰が、１００ＭＨｚ〜１ＧＨｚの範囲において、０．４ｄＢ以下に収まっており、この周波数帯の信号の透過率は高い。
一方、コモンモードノイズは、図７の曲線Ｓ３で示すように、１００ＭＨｚ以下の周波数帯で、１２ｄＢ以上の大きな減衰が得られ、透過率が低い。
以上から、発明者等は、この実施例のノイズ対策回路を用いることで、１００ＭＨｚ以上の帯域の差動信号、コモンモード信号に影響を与えずに、１００ＭＨｚ以下の帯域のコモンモードノイズのみを減衰させることができることを確認することができた。
なお、差動信号、コモンモード信号の透過周波数帯域やコモンモードノイズの減衰周波数帯域は、図５及び図６に示したコモンモードチョークコイル４（５）の特性や、図１に示したフィルタ回路２（３）の特性によって決定される。したがって、必要な特性を有するコモンモードチョークコイル４（５）やフィルタ回路２（３）を選択することで、差動信号、コモンモード信号の透過周波数帯域やコモンモードノイズの減衰周波数帯域を、それぞれ任意に変更することができる。
【００２８】
（実施例２）
次に、この発明の第２実施例について説明する。
図８は、この発明の第２実施例に係るノイズ対策回路を示す回路図である。
この実施例のノイズ対策回路１−２は、直流カット機能を備えている点が、上記第１実施例と異なる。
具体的には、図８に示すように、第１のコンデンサとしてのコンデンサ６を、フィルタ回路３のコイル３５の出力側端部３５ｂと出力端子３３との間に在させると共に、このコンデンサ６と同じ構造の第２のコンデンサとしてのコンデンサ７をコイル３６の出力側端部３６ａと出力端子３４との間に介在させた。
【００２９】
差動信号やコモンモード信号を、直流電圧によって所定電圧までオフセットする場合がある。このような場合に、上記図１に示すノイズ対策回路の構造であると、直流電圧がグランド領域１２０に落とされ、差動伝送路１００を通る差動信号やコモンモード信号の電圧が大きく低下するおそれがある。
しかし、この実施例のように、コンデンサ６，７を設けることで、直流電流が差動伝送路１００からフィルタ回路２を通じてフィルタ回路３のコイル３５，３６に流入しても、コンデンサ６，７が、直流電圧を遮断し、グランド領域１２０側への流出を阻止する。
なお、この実施例では、コンデンサ６，７を、フィルタ回路３のフィルタ回路３のコイル３５，３６と出力端子３３，３４の間に介在させた例を示したが、コンデンサ６，７を、フィルタ回路２のコイル２５，２６と出力端子２３，２４の間に介在させることもできる。  また、コンデンサ６，７を、図５に示すようなコモンモードチョークコイル４（５）を有したフィルタ回路２（３）に設ける場合には、コンデンサ６を、コイル４１（５１）の出力側端部４１ｂ（５１ｂ）と出力端子２３（３３）間に介在させ、コンデンサ７を、コイル４２（５２）の入力側端部４２ａ（５２ａ）と出力端子２４（３４）間に介在させる。
その他の構成、作用及び効果は、上記第１実施例と同様であるので、その記載は省略する。
【符号の説明】
【００３０】
１−１，１−２…ノイズ対策回路、  ２，３…フィルタ回路、  ４，５…コモンモードチョークコイル、  ６，７…コンデンサ、  ２１，２２，３１，３２…入力端子、  ２３，２４，３３，３４…出力端子、  ２５，２６，３５，３６，４１，４２，５１，５２…コイル、  ２５ａ，２６ｂ，３５ａ，３６ｂ，４１ａ，４２ａ，５１ａ，５２ａ…入力側端部、  ２５ｂ，２６ａ，３５ｂ，３６ａ，４１ｂ，４２ｂ，５１ｂ，５２ｂ…出力側端部、  １００…差動伝送路、  １０１，１０２…伝送線路、  １１０…グランド線路、  １２０…グランド領域、  ２０１…送信装置、  ２０２…受信装置。
【図１】
0005459550.tif 000002
【図２】
0005459550.tif 000003
【図３】
0005459550.tif 000004
【図４】
0005459550.tif 000005
【図５】
0005459550.tif 000006
【図６】
0005459550.tif 000007
【図７】
0005459550.tif 000008
【図８】
0005459550.tif 000009